(57)【要約】【課題】単数又は複数台のコンプレッサを遠隔場所から監視する簡便のコンプレッサの遠隔監視管理装置とその方法を提供する。【解決手段】液晶モニタ１ｃを設けるコンプレッサ１はＬＡＮケーブル３によりパソコン４に連結される。パソコン４及び液晶モニタ１ｃには予め必要とする監視項目が入力記憶され、所望のコンプレッサ１をＩＰアドレスにより選出することにより正常運転時における監視必要項目が表示される。また、異常時や保守点検時においてはその内容がパソコン４や液晶モニタ１ｃに表示され、それにより対応や管理を容易に、かつ確実に行うことができる。【選択図】図１
2008258935.tif 000002
【特許請求の範囲】
【請求項１】
単数又は複数のコンプレッサを遠隔場所から監視し、その状態を確認して必要とする情報を伝達又は表示管理するコンプレッサの遠隔監視管理装置であって、該装置は、コンプレッサ本体とその制御手段及び液晶モニタとを有するコンプレッサと、遠隔場所に配置されるパソコンと、該パソコンと前記コンプレッサとを直接又はハブ（ＨＵＢ）を介して連結するＬＡＮケーブルとを設けることを特徴とするコンプレッサの遠隔監視管理装置。
【請求項２】
前記コンプレッサは、前記ＬＡＮケーブルの連結範囲において任意の場所に設置されることを特徴とする請求項１に記載のコンプレッサの遠隔監視管理装置。
【請求項３】
前記請求項１又は２に記載のコンプレッサの遠隔監視管理装置による監視管理方法であって、該方法は、前記コンプレッサの夫々にＩＰアドレスを設け、該ＩＰアドレスにより所望のコンプレッサの状態を前記液晶モニタの液晶表示面や前記パソコンに表示してその状態を監視し、必要情報を表示すると共に、コンプレッサの異常時や保守時においてその内容を自動的に前記液晶表示面やパソコン上に表示し、夫々のコンプレッサの監視と管理とを可能にすることを特徴とするコンプレッサの遠隔監視管理方法。
【請求項４】
コンプレッサの正常状態における情報表示内容が、運転時間，ユーザ圧力，タンク圧力，電力，電流，電圧，周波数，吐出温度，ＡＵＣＳ解除圧力，自動発停動作圧力，自動発停復帰差圧，水交換設定時間，水交換残り時間，水交換サイクル回数等からなり、コンプレッサの異常時や保管時における情報表示内容が、異常内容アドレスや保守点検内容アドレスからなり、前記異常内容アドレスにおける対応メッセージが、吐出温度異常，メインモータ異常，ファンインバータ異常，リングブローモータ異常，ドライヤ異常，ユーザ圧圧力センサ異常，冷却水断水，潤滑水断水，潤滑水オーバーフロー，回転数低下異常，吐出温度センサ異常，換気扇ＯＬ等からなり、前記保守点検内容アドレスにおける対応メッセージが、モータグリス補充，水フィルタ交換，エアークリーナ清掃，ドライヤ異常（運転継続），ＰＳ−Ｌ（圧力低下），ＰＳ−Ｈ（残圧起動防止），水交換サイクル異常，逆相，吐出温度警報，タンク圧圧力センサ異常等とからなることを特徴とする請求項３に記載のコンプレッサの遠隔監視管理方法。
【発明の詳細な説明】
【技術分野】
【０００１】
本発明は、遠隔場所にある単数又は複数のコンプレッサの状態を監視し、その状態を表示して管理するコンプレッサの遠隔監視管理装置とその方法に関する。
【背景技術】
【０００２】
コンプレッサは各種の機器類等に中圧の空気を供給するものであり、工場のみならず、各所において広く使用される。また、１つの工場等において使用されるコンプレッサの数は単数の場合もあるが、一般に複数台のものが適用される。そのため、従来ではコンプレッサ室を設けて、この中に複数のコンプレッサを収納し、使用及び管理することが採用されていた。また、コンプレッサは常に稼働しているものでなく、通常の正常運転時や停止時においてもその状態を監視し必要に応じて処置対応することが必要であると共に、異常状態の把握や保守管理を必要とする。そのために、コンプレッサの状態を常時監視し、管理することが必要になる。
【０００３】
この監視管理のためにコンプレッサ室内においてその作業を行うことが従来は行われていたが、遠隔場所においてコンプレッサの監視や管理ができることがより便利であり、遠隔監視管理手段が採用されている。この公知技術として、例えば「特許文献１」や「特許文献２」がある。
【特許文献１】特開２００３−９１３１３号（図１）
【特許文献２】特開２００３−２３６８１号（図１）
【発明の開示】
【発明が解決しようとする課題】
【０００４】
「特許文献１」の「特開２００３−９１３１３号」の「圧縮機の遠隔監視システム」は、分散配置された圧縮機を遠隔監視して故障を事前に予知するものであり、分散配置された圧縮機の運転情報をインターネット又は公衆回線を用いてサーバクライアント方式のサーバに取り込み、この情報によって各圧縮機の運転状況を求め、サーバからインターネット又は公衆回線を介して処点化して設けた保守・メンテナンス時間に運転状況を送信し、かつ分散配置された圧縮機にサービス員を派遣して保守をするものである。以上のようにこのシステムは大掛りのものであり配線関係も特殊であり、圧縮機側も遠隔監視対応のオプションのものが使用される必要があった。
また、「特許文献２」の「特開２００３−２３６８１号」の「遠隔保守管理システム」は、監視対象の圧縮機等の設備を保守，修復又は再稼働させるもので、端末装置に監視対象設備ごとに設定した項目の監視データを検出する検出部や設備ごとに設定した運転状況や運転命令を演算して運転制御すると共に監視情報を出力する制御装置と、液晶表示部と、タッチパネル設定器と、監視情報の記憶を行う記憶装置とを設け、中央管理装置におけるコンピュータによって情報の送受信を行って監視保守等を行うものである。遠隔保守管理としてはほぼ完全のものであるがシステム構成が複数であり簡単に、かつ安価に適用し得るものではない問題点があった。
【０００５】
本発明は、以上の事情に鑑みて発明されたものであり、液晶モニタとＬＡＮケーブルを用いると共にＩＰアドレスによって各コンプレッサを識別する簡便の手段及び方法によって任意の遠隔場所にあるコンプレッサの監視とその状態を把握して管理の容易化を図るコンプレッサの遠隔監視管理装置とその方法を提供することを目的とする。
【課題を解決するための手段】
【０００６】
本発明は、以上の目的を達成するために、請求項１の発明は、単数又は複数のコンプレッサを遠隔場所から監視し、その状態を確認して必要とする情報を伝達又は表示管理するコンプレッサの遠隔監視管理装置であって、該装置は、コンプレッサ本体とその制御手段及び液晶モニタとを有するコンプレッサと、遠隔場所に配置されるパソコンと、該パソコンと前記コンプレッサとを直接又はハブ（ＨＵＢ）を介して連結するＬＡＮケーブルとを設けることを特徴とする。
【０００７】
また、請求項２の発明は、前記コンプレッサは、前記ＬＡＮケーブルの連結範囲において任意の場所に設置されることを特徴とする。
【０００８】
また、請求項３の発明は、前記請求項１又は２に記載のコンプレッサの遠隔監視管理装置による監視管理方法であって、該方法は、前記コンプレッサの夫々にＩＰアドレスを設け、該ＩＰアドレスにより所望のコンプレッサの状態を前記液晶モニタの液晶表示面や前記パソコンに表示してその状態を監視し、必要情報を表示すると共に、コンプレッサの異常時や保守時においてその内容を自動的に前記液晶表示面やパソコン上に表示し、夫々のコンプレッサの監視と管理とを可能にすることを特徴とする。
【０００９】
また、請求項４の発明は、コンプレッサの正常状態における情報表示内容が、運転時間，ユーザ圧力，タンク圧力，電力，電流，電圧，周波数，吐出温度，ＡＵＣＳ解除圧力，自動発停動作圧力，自動発停復帰差圧，水交換設定時間，水交換残り時間，水交換サイクル回数等からなり、コンプレッサの異常時や保管時における情報表示内容が、異常内容アドレスや保守点検内容アドレスからなり、前記異常内容アドレスにおける対応メッセージが、吐出温度異常，メインモータ異常，ファンインバータ異常，リングブローモータ異常，ドライヤ異常，ユーザ圧圧力センサ異常，冷却水断水，潤滑水断水，潤滑水オーバーフロー，回転数低下異常，吐出温度センサ異常，換気扇ＯＬ等からなり、前記保守点検内容アドレスにおける対応メッセージが、モータグリス補充，水フィルタ交換，エアークリーナ清掃，ドライヤ異常（運転継続），ＰＳ−Ｌ（圧力低下），ＰＳ−Ｈ（残圧起動防止），水交換サイクル異常，逆相，吐出温度警報，タンク圧圧力センサ異常等とからなることを特徴とする。
【発明の効果】
【００１０】
本発明の請求項１のコンプレッサの遠隔監視管理装置によれば、コンプレッサには液晶モニタが取り付けられ、ＬＡＮケーブルを介して直接又はハブ（ＨＵＢ）を介してパソコンに連結されるものからなり、予め液晶モニタ及びパソコンに作成されているシステムにより、コンプレッサの正常運転時，停止時及び異常時や保守点検時における所望の情報が表示され、パソコンや液晶モニタの液晶表示面に表示される。また、表示を必要とするコンプレッサはＩＰアドレスによって種別選択される。以上のように本発明は簡便，安価な手段によって単数及び複数のコンプレッサの遠隔監視や管理が容易に、かつ確実に行われる。
【００１１】
また、本発明の請求項２のコンプレッサの遠隔監視管理装置によれば、ＬＡＮケーブルを使用するため、ＬＡＮケーブルの配置される可能性のある任意の場所におけるコンプレッサの監視が容易に行われる。
【００１２】
また、本発明の請求項３のコンプレッサの遠隔監視管理方法によれば、所望のコンプレッサのすべての状態の監視が必要時において容易に行われ、コンプレッサの安全管理が可能となり、かつその操作も容易である。
【００１３】
また、本発明の請求項４のコンプレッサの遠隔監視管理方法によれば、夫々の状態における対応メッセージが多様にわたり、その結果、コンプレッサの安全管理が確実に行われる。
【発明を実施するための最良の形態】
【００１４】
以下、本発明のコンプレッサの遠隔監視管理装置とその方法の実施の形態を図面等を参照して詳述する。
まず、図１（ａ），（ｂ）は本発明のコンプレッサの遠隔監視管理装置の構成を示すものであり、図１（ａ）は複数のコンプレッサの場合であり、図１（ｂ）は単数のコンプレッサの場合を示す。
【実施例１】
【００１５】
図１（ａ）に示すように、本発明のコンプレッサの遠隔監視管理装置１００は、コンプレッサ１と、ハブ（ＨＵＢ）２と、ＬＡＮケーブル３と、パソコン４とから構成される。なお、夫々のコンプレッサ１は、コンプレッサ本体１ａと、その制御手段１ｂと、液晶モニタ１ｃ等とから構成される。また、図示ではほぼ同一の位置にコンプレッサ１は並設されているが、実際上はＬＡＮケーブル３が配設される範囲において任意の場所及び夫々が離れた場所に設置されてもかまわない。
以上の構成により、パソコン４を後に説明する方法により操作することにより、夫々の状態におけるコンプレッサ１の監視が簡単に可能になる。即ち、本発明のコンプレッサの遠隔監視管理装置１００は、液晶モニタ１ｃを設けたコンプレッサ１であれば、以上の構成により必要とする監視と管理が可能になる。
【実施例２】
【００１６】
実施例１は複数台のコンプレッサの遠隔監視や管理のための構成を説明したが、「実施例２」は単数のコンプレッサ１における遠隔監視管理の場合の構成を示す。図示のようにコンプレッサの遠隔監視管理装置１００Ａは、コンプレッサ１とパソコン４とがハブ（ＨＵＢ）２を使用しないでＬＡＮケーブル３により直接連結されている状態を示す。
なお、「実施例１」のコンプレッサの遠隔監視管理装置１００も「実施例２」におけるコンプレッサの遠隔監視管理装置１００Ａもその監視管理方法は同一であり、以下に説明する。
【００１７】
まず、夫々のコンプレッサ１には図２に示すようにＮｏが付けられ、図では具体的な記載は省略されているが機種や容量が明記されると共に、夫々のコンプレッサを識別するためのＩＰアドレスが設けられている。
なお、この図２の表はパソコン４上に表示される。
【００１８】
パソコン４の操作により、図２の中から監視を必要とするコンプレッサ１を選出すると図３に示す表が表示される。次に、図３の表の中から監視を必要とするコンプレッサ１についての通常運転時や停止時における監視を必要とするデータが図４に示すように表示される。図４は表示内容の一例であり、図示のように、運転時間，ユーザ圧力，タンク圧力，電力，電流，電圧，回転数，吐出温度や目標圧力，自動発停動作圧力，自動発停復帰圧力，水交換設定時間，水交換残り時間，水交換サイクル回数等が表示される。以上の表示内容により、必要とする管理を夫々のコンプレッサについてタイムリーに行うことができる。
【００１９】
図５はコンプレッサが異常時に表示される表示項目（アドレス）の一例であり、図６は保守点検時に表示される表示項目（アドレス）の一例である。また、図７はインバータ異常時に同時に表示される内容の一例である。これ等についての具体的な表示内容は、図５〜図７に示されている表示を参照しその説明は省略する。
【００２０】
以上のように、本発明のコンプレッサの遠隔監視管理方法によれば、正常時，停止時，異常時，保守点検時における夫々のコンプレッサの状態が明示され、その監視が容易に、かつ正確に行われ、必要とする管理をタイムリーに行うことができる。
【００２１】
本発明のコンプレッサの遠隔監視管理装置とその方法は以上の説明のものからなるが、その構成や監視項目については一例であり、同一の技術的範疇のものについて採用されることは勿論である。また、監視項目についても前記のものに限定するものではない。
【産業上の利用可能性】
【００２２】
本発明は、コンプレッサに対して適用されるものであるが、対象の機器はコンプレッサに限定するものではなく、運転される機器に対して応用利用されることは勿論であり、その利用範囲は広い。
【図面の簡単な説明】
【００２３】
【図１】本発明に係るコンプレッサの遠隔監視管理装置の一実施例を示す構成図であり、（ａ）は複数のコンプレッサの場合であり（ｂ）は単数のコンプレッサの場合を示す。
【図２】パソコン上における表示内容を示す表。
【図３】図２の表においてＩＰアドレスによって指定されたコンプレッサの状態を示す表。
【図４】図３において指定されたコンプレッサの正常運転時の状態を示す表。
【図５】異常発生時の異常内容アドレスを示す表。
【図６】保守点検内容アドレスを示す表。
【図７】インバータ異常時の表示項目の一例を示す表。
【符号の説明】
【００２４】
１        コンプレッサ
１ａ      コンプレッサ本体
１ｂ      制御手段
１ｃ      液晶モニタ
２        ハブ（ＨＵＢ）
３        ＬＡＮケーブル
４        パソコン
１００    複数コンプレッサの遠隔監視管理装置
１００Ａ  単数コンプレッサの遠隔監視管理装置
【図１】
2008258935.tif 000003
【図２】
2008258935.tif 000004
【図３】
2008258935.tif 000005
【図４】
2008258935.tif 000006
【図５】
2008258935.tif 000007
【図６】
2008258935.tif 000008
【図７】
2008258935.tif 000009